(57)【要約】【課題】透明電極などの光透過層を通して表示する画像の色合いを補正する色補正用シートにおいて、上記光透過層で反射した反射光、および、上記色補正用シートで反射する反射光によって、上記画像の色合いを変化させてしまうことがない色補正用シートおよび当該色補正用シートを用いた表示装置を提供すること。【解決手段】色補正用シート１０は、透明層１１と補色層１２とからなり、透明電極１００に色補正用シート１０の補色層１２を取り付ける。また、補色層１２は、透明層１１に入射した光が、透明電極１００で反射または透過することによって帯びる色に対して補色となる色を有しており、これにより、透明電極１００による色合いの変化を抑制する。【選択図】図１
2010020682.tif 000002
【特許請求の範囲】
【請求項１】
一方の面を含む領域が無色透明であり、他方の面を含む前記無色透明以外の領域に、所定の色に対して補色となる色を有する色補正用シートであって、
前記所定の色は、
前記一方の面に入射した光が前記他方の面から出射し、その背後領域で反射して前記他方の面に再入射する場合において、前記他方の面の背後領域に配置された層での透過または反射により顕在化する色である
ことを特徴とする色補正用シート。
【請求項２】
前記他方の面の背後領域に配置された層は、透明電極であることを特徴とする請求項１に記載の色補正用シート。
【請求項３】
前記一方の面側に形成された無色透明の透明層と、
前記他方の面側に形成され、前記所定の色に対して補色となる色によって着色された補色層と
を有することを特徴とする請求項１または２に記載の色補正用シート。
【請求項４】
前記透明層の屈折率と、前記補色層の屈折率とがほぼ同一である
ことを特徴とする請求項３に記載の色補正用シート。
【請求項５】
前記透明層は、
前記補色層の表面に形成した無色透明なコーティング層である
ことを特徴とする請求項３または４に記載の色補正用シート。
【請求項６】
前記透明層は、無色透明な透明シート状部材であり、
前記補色層は、前記補色となる色を有し光透過性を有する補色シート状部材であり、
前記透明シート状部材と前記補色シート状部材とを、貼り合わせることにより形成した
ことを特徴とする請求項３または４に記載の色補正用シート。
【請求項７】
単一のシート状部材からなり、
該シート状部材の厚み方向において、前記一方の面から前記他方の面にかけて、無色透明から前記補色の色の濃度がなだらかに増していく
ことを特徴とする請求項１または２に記載の色補正用シート。
【請求項８】
請求項１から７のうちいずれか一項に記載の色補正用シートが、該色補正用シートの他方の面と、画像を表示する表示パネルの表示面とが対向するように設けられている
ことを特徴とする表示装置。
【請求項９】
前記色補正用シートと、前記表示パネルとの間に、
接触面を有し、外部から前記接触面に対する接触があると、前記接触面内における前記接触があった位置に対応した電気的特性の変化が生じる層を備えたタッチパネルを設け、
前記色補正用シートは、前記電気的特性の変化が生じる層と、該色補正用シートの他方の面とが対向するように設けられている
ことを特徴とする請求項８に記載の表示装置。
【請求項１０】
画像を表示する表示面を備えた表示パネルと、
前記表示パネルの表示面に配置され、接触面を有し、外部から前記接触面に対する接触があると、前記接触面内における前記接触があった位置に対応した電気的特性の変化が生じる光透過層を有するタッチパネルと、
前記電気的特性の変化が生じる光透過層の表面に形成され、所定の色成分に対して補色となる色を有する補色層と、
前記補色層の表面に形成された無色透明の透明層と
を有してなり、
前記所定の色は、
前記透明層に入射した光が前記補色層から出射し、その背後領域で反射して前記補色層に再入射する場合において、前記光透過層での透過または反射により顕在化する色である
ことを特徴とする表示装置。
【発明の詳細な説明】
【技術分野】
【０００１】
本発明は、透明電極などの光透過層へ入射する光が、当該光透過層の表面で反射し、または、当該光透過層を透過することによって変化する色合いを補正する色補正用シートおよび該色補正用シートを用いた表示装置に関する。
【背景技術】
【０００２】
従来、単色で発光する発光体を用いて所望する発光色を得る方法の一つに、発光体の発光色とは異なる色のカラーフィルタを、発光体の発光面に貼着し、上記発光色とカラーフィルタの色とを混合させることで、所望する発光色を得る方法がある。たとえば、特許文献１に記載されているＥＬ素子（発光体）は、緑青色で発光する単色の蛍光体を用い、その発光面に、桃色発光の蛍光顔料を混和させた粘稠性を有する透明樹脂を貼り着けて、発光させることで、双方の色を加算して白色を得ている。また、このような技術の応用として、たとえば、特許文献２に記載されているタッチパネル付き液晶表示装置は、タッチパネルの表面に、タッチパネルによる色の変化を抑える顔料を混ぜた色補正フィルムなどを貼り付け、液晶表示装置などの画面上に配置されたタッチパネルの透明電極自体の色による表示品位の低下（画像の色の変化）を防ぐものが提案されている。
【０００３】
【特許文献１】特開平０３−０１５１９１号公報
【特許文献２】特開２０００−３０５７１５号公報
【発明の開示】
【発明が解決しようとする課題】
【０００４】
ところで、特許文献２に記載されているタッチパネル付き液晶表示装置では、タッチパネルの表面または裏面に、色補正フィルムを貼り付けているが、いずれの場合であっても、タッチパネルを通して表示される画像の色の変化を十分に補正できるとは言い難い面があった。すなわち、タッチパネルの表面に色補正フィルムを貼り付けた場合、色補正フィルムを透過した光については、透明電極自体の色による画像の色の変化を抑える役目を果たすが、色補正フィルムの表面で反射する光については、当該反射光が色補正フィルムの色を帯びてしまい、タッチパネルを通して表示される画像の色合いに影響してしまうことになる。これに対して、タッチパネルの裏面に色補正フィルムを貼り付けた場合は、タッチパネルの表面へ入射した光の一部が、色補正フィルムへ到達する前に透明電極で反射し、この反射光が透明電極自体の色を帯びてしまうため、やはりタッチパネルを通して表示される画像の色合いに影響を及ぼしてしまうことになる。
【０００５】
本発明は、上記問題点に鑑みてなされたものであり、透明電極などの層を通して表示する画像の色合いを補正する色補正用シートにおいて、上記透明電極などの層で反射した反射光や、色補正用シートで反射する反射光によって、上記画像の色合いを変化させてしまうことがない色補正用シートおよび当該色補正用シートを用いた表示装置を提供することを目的としている。
【課題を解決するための手段】
【０００６】
上述した課題を解決するために、本発明の請求項１に係る色補正用シートの実施態様は、一方の面を含む領域が無色透明であり、他方の面を含む前記無色透明以外の領域に、所定の色に対して補色となる色を有する色補正用シートであって、前記所定の色は、前記一方の面に入射した光が前記他方の面から出射し、その背後領域で反射して前記他方の面に再入射する場合において、前記他方の面の背後領域に配置された層での透過または反射により顕在化する色であることを特徴とする。
【０００７】
本実施態様では、色補正用シートの一方の面を含む領域が無色透明で、他方の面を含む無色透明の領域以外の領域が、他方の面の背後領域に配置された層での反射または透過によって顕在化した色に対して補色となる色になっている。これにより、一方の面に入射した光が、上記補色となる色を有する領域を透過することによって、その背後領域に配置された層で反射し、または、透過したときに顕在化する色が相殺されるため、当該所定の色による色合いの変化を補正することができる。また、一方の面が無色透明になっているため、色補正用シートの表面、すなわち、入射する光の反射面で反射した場合に、所定の色に対して補色となる色を帯びてしまうことがなく、本実施態様の色補正用シートを通して視認される画像などの色合いに影響を及ぼしてしまう恐れがない。
【０００８】
本発明の請求項２に係る色補正用シートの実施態様は、前記他方の面の背後領域に配置された層は、透明電極であることを特徴とする。
【０００９】
本実施態様では、色補正用シートの他方の面を含む無色透明の領域以外の色が、透明電極の表面で反射、または、前記透明電極を透過する際に顕在化する色に対して補色となる色になっているため、一方の面から入射して他方の面から出射した光が、その背後領域に設けられた透明電極の表面で反射し、または、透明電極を透過したことによって顕在化した色を補正することができる。
【００１０】
本発明の請求項３に係る色補正用シートの実施態様は、前記一方の面側に形成された無色透明の透明層と、前記他方の面側に形成され、前記所定の色に対して補色となる色によって着色された補色層とを有することを特徴とする。
【００１１】
本実施態様では、色補正用シートを透明層と補色層との二層で構成することで、一方の面における無色透明と、他方の面を含む無色透明の領域以外の領域における所定の色に対して補色となる色とを、実現している。これにより、各層の厚さや材質、補色層における色の濃度などを個別に選択することが可能となり、一方の面における光の反射や所定の色による影響を、最も効果的に排除することができる色補正用シートの追究が容易となる。
【００１２】
本発明の請求項４に係る色補正用シートの実施態様は、前記透明層の屈折率と、前記補色層の屈折率とがほぼ同一であることを特徴とする。
【００１３】
本実施態様では、上述した透明層の屈折率と、補色層の屈折率とがほぼ同一であるため、透明層へ入射した光が、透明層と補色層との境界面で反射しにくくなる。これにより、補色層の色が顕在化した反射光によって色合いの変化を生じさせてしまうおそれを少なくすることができる。
【００１４】
本発明の請求項５に係る色補正用シートの実施態様は、前記透明層は、前記補色層の表面に形成した無色透明なコーティング層であることを特徴とする。
【００１５】
本実施態様では、無色透明の材料で補色層の表面をコーティングすることにより、所定の色による色合いの変化を補正し、また、色補正用シートの表面で反射した光によって、無色透明の領域以外の色に影響されることがない色補正用シートを作製することができる。
【００１６】
本発明の請求項６に係る色補正用シートの実施態様は、前記透明層は、無色透明な透明シート状部材であり、前記補色層は、前記補色となる色を有し光透過性を有する補色シート状部材であり、前記透明シート状部材と前記補色シート状部材とを、貼り合わせることにより形成したことを特徴とする。
【００１７】
本実施態様では、色補正用シートを、無色透明なシート状部材と、所定の色成分に対して補色となる色を有し光透過性を有するシート状部材とを貼り合わせることによって形成しているため、色補正用シートを容易に作製することができる。
【００１８】
本発明の請求項７に係る色補正用シートの実施態様は、単一のシート状部材からなり、該シート状部材の厚み方向において、前記一方の面から前記他方の面にかけて、無色透明から前記補色の色の濃度がなだらかに増していくことを特徴とする。
【００１９】
本実施態様では、色補正用シートを単一のシート状部材で構成し、かつ、このシート状部材の厚み方向において、一方の面から前記他方の面にかけて、無色透明の状態から徐々に所定の色に対して補色となる色が濃くなっている。これにより、シート状部材の厚み方向において、無色透明の領域と、補色となる色の領域との間で屈折率の差が生じることがなく、また、無色透明の領域と、補色となる色の領域との間に明確な境界がなくなる。よって、色補正用シートの一方の面へ入射した光が、シート内部において補色となる色の領域で反射して、前述した層を通して見る画像の色合いに影響を与えてしまうおそれがない。
【００２０】
本発明の請求項８に係る表示装置の実施態様は、請求項１から７のうちいずれか一項に記載の色補正用シートが、該色補正用シートの他方の面と、画像を表示する表示パネルの表示面とが対向するように設けられていることを特徴とする。
【００２１】
本実施態様においては、表示パネルで反射した光、または、表示パネル内へ透過する光の影響により起こり得る、表示パネルに表示された画像の色合いの変化を、色補正用シートによって補正することができる。また、色補正用シートの表面（一方の面）で反射する光によって表示パネルに表示される画像の色合いに影響を及ぼすことがない。
【００２２】
本発明の請求項９に係る表示装置の実施態様は、前記色補正用シートと、前記表示パネルとの間に、接触面を有し、外部から前記接触面に対する接触があると、前記接触面内における前記接触があった位置に対応した電気的特性の変化が生じる層を備えたタッチパネルを設け、前記色補正用シートは、前記電気的特性の変化が生じる層と、該色補正用シートの他方の面とが対向するように設けられていることを特徴とする。
【００２３】
本実施態様においては、タッチパネルが備える「電気的特性の変化が生じる層」での反射または透過する光の影響によって変化させられる、表示パネルに表示された画像の色合いを、色補正用シートによって補正することができる。また、色補正用シートの表面（一方の面）で反射する光によって表示パネルに表示される画像の色合いに影響を及ぼすことがない。
【００２４】
本発明の請求項１０に係る表示装置の実施態様は、画像を表示する画面を備えた表示パネルと、前記表示パネルの画面に配置され、接触面を有し、外部から前記接触面に対する接触があると、前記接触面内における前記接触があった位置に対応した電気的特性の変化が生じる光透過層を有するタッチパネルと、前記電気的特性の変化が生じる光透過層の表面に形成され、所定の色成分に対して補色となる色を有する補色層と、前記補色層の表面に形成された無色透明の透明層とを有してなり、前記所定の色は、前記透明層に入射した光が前記補色層から出射し、その背後領域で反射して前記補色層に再入射する場合において、前記光透過層での透過または反射により顕在化する色であることを特徴とする。
【００２５】
本実施態様においては、透明層から入射した光が、所定の色に対して補色となる色を有する補色層を透過することによって、タッチパネルの光透過層で反射し、または、当該光透過層を透過するときに強調される所定の色が相殺されるため、当該光透過層での反射または透過した光の影響によって変化させられる、表示パネルに表示された画像の色合いを補正することができる。また、外部と接する面が透明層になっているため、外部から入射する光の一部が外部と接する面で反射したとしても、所定の色に対して補色となる色が顕在化してしまうことがなく、その反射光によって上記画像の色合いを変化させてしまうおそれがない。
【発明の効果】
【００２６】
以上のように、本発明の色補正用シートおよび当該色補正用シートを用いた表示装置によれば、透明電極などの層で反射した反射光や、色補正用シートで反射する反射光によって表示装置に表示された画像の色合いを変化させてしまうことがない。
【発明を実施するための最良の形態】
【００２７】
以下、本発明の色補正用シート、および、当該色補正用シートを用いた表示装置に関する実施形態について、図面を参照しつつ詳細に説明する。
【００２８】
（本発明に係る色補正用シートの第１の実施の形態の説明）
図１は、本発明に係る第１の実施の形態に係る色補正用シートの断面構成を模式的に示した模式図である。ここで、以下では、各部の位置関係などを説明するにあたり、図１中、上方向を表（面、側）、下方向を裏（面、側）という。この図に示す色補正用シート１０は、たとえば自然光が、透明電極１００（背後領域に配置された層および光透過層に相当）の表面で反射したとき、または、透明電極１００を透過したときに、当該自然光が帯びてしまう色（換言すると、顕在化する色）を、できるだけ無彩色となるように補正するものである。
【００２９】
図１に示すように、色補正用シート１０は、無色透明の透明層１１と、後述する色で着色された補色層１２とからなり、補色層１２の裏面を透明電極１００の表面に固着させている。ただし、色補正用シート１０は、必ずしも透明電極１００の表面に固着させる必要はなく、離して設けてもよいし、色補正用シート１０と透明電極１００との間に、他の光透過性を有する層が存在していてもよい。さらに、透明電極１００は、色補正用シート１０の背後領域において１枚だけでなく、複数枚配置されていてもよい。すなわち、色補正用シート１０の背後領域に配置される層は、１つでもよいし、複数でもよい。また、色補正用シート１０の背後領域に配置される層が複数である場合は、それらの層が互いに接していても良いし、離れて配置されていてもよい。
【００３０】
透明層１１と補色層１２とは、それぞれ別体のシート状部材からなっており、両者を両面テープで貼り合わせることで、色補正用シート１０が形成される。また、透明層１１および補色層１２に各々対応するシート状部材は、樹脂系の材料からなり、本実施の形態では、入手が容易で多分野に用いられているＰＣ（ポリカーボネート）またはＰＥＴ（ポリエチレンテレフタレート）を採用している。ここで、透明層１１と補色層１２とに各々対応するシート状部材は、透明層１１の表面（一方の面に相当）から入射した光が、色補正用シート１０を透過する際に、透明層１１と補色層１２との境界面における反射をできるだけ抑えるために、双方の層の屈折率をできるだけ同じ値にすることが望ましい。これを容易に実現するには、透明層１１および補色層１２として使用するシート状部材を、同種の樹脂系の材料にするとよい。本実施の形態では、一般にＰＣの屈折率が約１．５５〜１．５９の範囲内であり、ＰＥＴの屈折率が約１．４９であることから、ＰＣとＰＥＴとを組み合わせて用いることを考慮して、透明層１１および補色層１２の屈折率の差が０〜０．１の範囲内であれば、両者の屈折率がほぼ同一であるとみなす。
【００３１】
また、本実施の形態では、透明層１１となるシート状部材と、補色層１２となるシート状部材とを、両面テープによって貼り合わせているが、この両面テープの屈折率も、透明層１１および補色層１２の屈折率とほぼ同一であること望ましい。ここで、透明層１１となるシート状部材と、補色層１２となるシート状部材とを貼り合わせる方法としては、両面テープの代わりに、各種樹脂系の接着剤を用いてもよい。この場合、接着剤の屈折率は、透明層１０および補色層１２の屈折率と同一、または、ほぼ同一であることが望ましい。さらに、色補正用シート１０の作製方法としては、上述した方法の他にも、金型を用いて各層に対応する樹脂を二層成形する、補色層１２に相当する樹脂の表面を、無色透明な樹脂などによってコーティング処理を施す、などの方法を採用してもよい。
【００３２】
なお、透明電極１００の材料として、ＩＴＯ（Ｉｎｄｉｕｍ  Ｔｉｎ  Ｏｘｉｄｅ）を用いているが、これに限らず、酸化亜鉛または酸化スズを用いてもよい。
【００３３】
次に、上述した色補正用シート１０の補色層１２の色について、図２を参照して説明する。周知のように、ＩＴＯを用いた透明電極（以下、単に透明電極という）を透過または反射した光は、黄色みを帯びて（換言すると、黄色みが顕在化または強調されて）視認されることになる。したがって、補色層の色を、この色とは補色関係にある青みがかった色にすることで、黄色みを帯びた光の色を補正、すなわち無彩色に近づけることができる。具体的には、Ｌ＊ａ＊ｂ＊表色系（ＣＩＥ１９７６表色系）において、原点を対称中心として、透明電極で反射または透明電極を透過した光が帯びる色に対して、対称となる点の色を補色層１２の色とする。
【００３４】
これを図２に示すＬ＊ａ＊ｂ＊表色系を参照して説明する。Ｌ＊ａ＊ｂ＊表色系は、ａ＊軸とこれに直交するｂ＊軸、さらに、図２の紙面を貫く（紙面に直交する）方向のＬ＊軸からなる３次元の座標系で表わされる。また、ａ＊軸の＋（プラス）側は赤領域、−（マイナス）側は緑領域になっており、ｂ＊軸の＋側は黄領域、−側は青領域になっている。Ｌ＊軸は明度を示しており、＋側（紙面から手前側）は白領域、−側（紙面よりも奥側）は黒領域になっている。なお、図２における原点Ｏの色は無彩色となる。また、以下では、説明を簡単にするために、透明電極で反射、または、透明電極を透過した光が帯びる色を黄色とし、Ｌ＊軸およびａ＊軸における値が０になると仮定して説明する。
【００３５】
たとえば、無色透明の光（たとえば自然光）が透明電極で反射または透過すると、その光の色が黄色みを帯び、図２に示す表色系においてｂ＊軸上の値が１０になると仮定する（図２中、▲のドットで示す）。この場合、補色層１２の色を、ｂ＊軸上における値が−１０となる青みを有する色（図２中、■のドットで示す）にすれば、透明電極で反射または透過した光が帯びた黄色みが、補色層１２を通過するときに相殺され、無彩色（ｂ＊の値が０）に補正されることになる。
【００３６】
また、Ｌ＊ａ＊ｂ＊表色系において、ある２色の色差ΔＥは以下の式（１）によって表わされる。
ΔＥ＝√（（ΔＬ＊）２＋（Δａ＊）２＋（Δｂ＊）２）……（１）
ここで、ΔＬ＊、Δａ＊、Δｂ＊は、それぞれ、上記ある２色のＬ＊軸、ａ＊軸、ｂ＊軸における各値の差分である。
【００３７】
そして、一般に、肉眼においては、ΔＥの値が０を超え０．５未満のとき、その２色の色差をかすかに感じる程度であり、０．５を超え１．５未満であれば、その色差をわずかに感じることができ、１．５を超え３．０未満になると、その色差がかなり感じられるようになり、３．０を超え６．０未満となった場合は、目立って感じられることになる。よって、本実施の形態では、Ｌ＊軸およびａ＊軸における値を０と仮定して、光が透明電極で反射または透過するときに帯びる色と、補色層１２の色との色差ΔＥの値が、１．５未満となるように補色層１２の色を決定する。本実施の形態では、ΔＬ＊＝Δａ＊＝０としていることから、Δｂ＊（＝ΔＥ）の絶対値が１．５未満、すなわち、−１．５＜Δｂ＊＜１．５となるように補色層１２の色を決定する。
【００３８】
なお、上記では、ＩＴＯを用いた透明電極を、透過または反射した際に生じる色変化の補正を行う場合について説明したが、他の光透過層（ＩＴＯ以外の材料を用いた透明電極、ガラス板、樹脂板など）によって生じる色変化を補正する場合は、補正対象となる色に対して補色となる色を有する補色層を用いればよい。
【００３９】
次に、再び図１を参照して、外部から色補正用シート１０に入射した光の色合いが、透明電極１００を透過または反射することによって変化する場合において、その色合いの変化を上述した構成の色補正用シート１０によって補正される過程について説明する。なお、図１では、外部から入射する光の経路を白抜きの矢印で示している。
【００４０】
まず、外部からの光が色補正用シート１０の透明層１１の表面（一方の面に相当する）へ入射する際、空気の屈折率と、透明層１１の屈折率とが異なるため、外部からの光の一部が透明層１１の表面で反射する（図１中（ア））。ここで、透明層１１は無色透明になっていることから、その表面で反射する光が、何らかの色を帯びてしまうことがなく、この反射光によって透明電極１００および色補正用シート１０を通して視認される画像などの色合いが変化するおそれはない。また、透明層１１内に入射した光は、補色層１２へ到達するが（同図中（イ））、このとき、透明層１１と補色層１２との屈折率がほぼ同一であることから、両者の境界面で反射が起きることはほとんどない。すなわち、この境界面での反射光が視認され、補色層１２の色によって透明電極１００を通して見る画像などの色合いが影響されることがない。このため、透明層１１に入射した光は、そのまま補色層１２を透過し、その過程で補色層１２の色を帯び、補色層１２の裏面（他方の面に相当する）から透明電極１００の表面に達すると、その一部が反射する（同図中（ウ））。
【００４１】
このとき、透明電極１００の表面で反射する光は、本来であれば黄色みを帯びることになるが、補色層１２を透過したことによって、その補色となる青みを帯びており、透明電極１００の表面で反射した後も、再び補色層１２を透過することから、透明電極１００で反射したことによって帯びる色が相殺され、透明層１１を透過して外部へ出射される（同図中（エ））。一方、透明電極１００を透過した光（同図中（オ））も、本来、黄色みを帯びることになるが、補色層１２を透過したことによって、その補色となる青みを帯びているため、透明電極１００を透過するときに双方の色が相殺して透明電極１００から出射される。
【００４２】
この透明電極１００を透過した光が、色補正用シート１０の背後領域、より詳しくは、透明電極１００よりもさらに背後の領域で反射し、再び透明電極１００に入射すると（同図中（カ））、その光は透明電極１００を透過する際に黄色みを帯びることになる。しかしながら、この色変化は、補色層１２の裏面側から入射して、補色層１２を透過するときに、その色によって相殺される（同図中（キ））。そして、無彩色となって透明層１１を透過した後、外部へ出射される（同図中（ク））。
【００４３】
このように、上述した第１の実施の形態における色補正用シート１０によれば、透明電極１００によって、外部から入射した光が黄色みを帯びてしまう場合でも、補色層１２によって、無彩色に補正することができる。このため、外部からの光が、透明電極１００の表面で反射し、または、透過した際に、その色合いが変化することによって、透明電極１００および色補正用シート１０を通して視認される画像などの色合いに影響を与えてしまうことがない。また、色補正用シート１０は、その表面が透明層１１になっているため、外部からの光が色補正用シート１０に入射する際、その一部が色補正用シート１０の表面で反射しても、当該反射光の色合いが変化することがない。このため、色補正用シート１０の表面で反射した光により、透明電極１００および色補正用シート１０を通して視認される画像などの色合いが影響されることがない。
【００４４】
なお、上述した色補正用シート１０は、透明層１１および補色層１２をそれぞれ一層ずつで構成していたが、補色層１２の層数を適宜増減させて補色の色の濃さを調整するようにしてもよい。すなわち、透明層１１から入射した光が透明電極１００の表面で反射する場合（図１中（ウ））と、色補正用シート１０および透明電極１００の背後領域で反射して再び透明電極１００を透過する場合（図１中（カ））とで、光が帯びる黄色みの度合いが異なる場合などに、補色層１２の層数を適宜増減し、透明層１１から出射される光において、透明電極１００での反射または透過による色変化の影響が最も小さくなるように、補色の色の濃さを調整するとよい。
【００４５】
（第１の実施の形態に係る色補正用シートの適用例）
次に図３を参照して、上述した色補正用シート１０を、タッチパネル付き表示装置に適用した場合について説明する。図３は、色補正用シート１０を、タッチパネル付き表示装置のタッチパネル２０に適用した場合における断面構成を模式的に示す図である。この図において、図１に示した色補正用シートと同じ構成のものについては、同一の符号を付し、その説明を省略する。
【００４６】
図３において、タッチパネル２０は、ＩＴＯを用いた２つの透明電極２１および２２を用いるアナログ抵抗膜式のタッチパネルであり、表側の透明電極２１と、裏側の透明電極２２との間に、ギャップ２３が設けられている。そして、透明電極２１の表面がタッチパネル２０の接触面となっており、外部から透明電極２１の表面の任意の一点に対して、指やタッチペンなどによって圧力が加えられると、透明電極２１が撓んで裏側の透明電極２２に接触し、透明電極２１において、圧力が加えられた位置に対応した抵抗分布の変化（電気的特性の変化）が生じる。
【００４７】
これにより、透明電極２１および２２の表面および裏面の形状が矩形であり、抵抗分布が均一とした場合、透明電極２１の表面、左右方向に一定の電位勾配が生じるように電圧を印加した状態で、接触位置の電圧を測定すれば、測定した電圧値と印加した電圧値との比に基づいて接触面の左右方向における接触位置（Ｘ座標値）が判別可能となる。次いで、透明電極２２の正面、上下方向に一定の電位勾配が生じるように電圧を印加した状態で、接触位置の電圧を測定すると、測定した電圧値と印加した電圧値との比に基づいて接触面の上下方向における接触位置（Ｙ座標値）が判別可能となる。このようにして得られたＸ，Ｙ座標値によって、タッチパネル２０の表面における接触位置を特定することができる。
【００４８】
なお、本実施の形態に係る色補正用シートは、タッチパネル２０のように、２枚の透明電極を使用することにより、色合いの変化が大きくなってしまうアナログ抵抗膜方式のものに有効であるが、これに限らず、透明電極を１枚のみ使用する静電容量方式のタッチパネルに適用してもよい。
【００４９】
そして、上述したタッチパネル２０において、透明電極２１の表面には色補正用シート１０が、透明電極２２の裏面には色補正用シート１０’が固着されている。ここで、色補正用シート１０’は、色補正用シート１０と同様の構成を有しており、透明層１１’と補色層１２’とによって構成されている。また、色補正用シート１０，１０’は、それぞれ補色層１２，１２’が、透明電極２１，２２と接するように固着されている。
【００５０】
色補正用シート１０，１０’が設けられたタッチパネル２０の背後（図３中、下方）には、画面５０が表側（同図中、上方）を向くように、表示装置が設けられている。これにより、この図に示すタッチパネル付き表示装置のユーザは、画面５０に表示された画像を、色補正用シート１０’、タッチパネル２０、および、色補正用シート１０を通して見ることになる。なお、図示は省略するが、タッチパネル２０、および、色補正用シート１０，１０’の形状・寸法は、画面５０の画像表示領域の形状（ここでは矩形とする）・寸法と一致しているものとする。
【００５１】
画面５０を備える表示装置は、カラー画像を表示可能な液晶表示装置であるが、表示装置の種類はこれに限らず、たとえば、ＣＲＴ（Ｃａｔｈｏｄｅ  Ｒａｙ  Ｔｕｂｅ）、ＥＰＤ（Ｅｌｅｃｔｒｏｐｈｏｒｅｔｉｃ  Ｄｉｓｐｌａｙ）、有機ＥＬ（Ｅｌｅｃｔｒｏ  Ｌｕｍｉｎｅｓｃｅｎｃｅ）ディスプレイ、または、プラズマディスプレイなどを使用してもよい。
【００５２】
上述したタッチパネル付き表示装置では、図１を参照して説明したように、外部からの光が色補正用シート１０の透明層１１の表面で反射する光（図１，図３中（ア））、および、透明層１１並びに補色層１２を透過後、透明電極２１の表面で反射する光（図１，図３中（ウ））によって、画面５０に表示される画像の色合いが影響されることはない。また、色補正が行われた状態で、透明電極２１の裏面側から出射した光（図１，図３中（オ））の一部は、裏面側の透明電極２２の表面で反射することで黄色みを帯び、反射後、さらに裏面側から透明電極２１を透過する際（図１，図３中（カ））に、黄色みを帯びることになる。しかしながら、この色は、補色層１２の裏面から入射し、透過することによって相殺され（図１，図３中（キ））、無彩色となるように補正されて透明層１１を透過し、外部へ出射される（図１，図３中（ク））。
【００５３】
さらに、透明電極２１の裏面側から出射した光（図１，図３中（オ））のうち、透明電極２２を透過する光は、その際、黄色みを帯びることになるが、色補正用シート１０’の補色層１２’によってその色が相殺され、補正された状態で透明層１１’を透過した後、表示装置の画面５０に到達する（図３中（ケ））。この光の一部は、画面５０の表面で反射することになるが、この反射光についても、上述した内容と同様の作用によって、透明電極２２から透明電極２１を透過する際に変化する色合いが補正される。
【００５４】
このように、上述したタッチパネル付き表示装置に色補正用シート１０，１０’を適用することにより、透明電極を２枚用いるアナログ抵抗膜方式のタッチパネル２０を介して表示装置の画面５０に表示される画像を見る場合であっても、外部から入射した光が黄色みを帯びてしまうことによる画像の色合いの変化を、抑制することができる。
【００５５】
（本発明に係る色補正用シートの第２の実施の形態の説明）
次に図４を参照して、本発明の第２の実施の形態に係る色補正用シートについて説明する。図４は、本発明の第２の実施の形態に係る色補正用シートの断面構成を模式的に示した模式図である。この図において、図１に示した各部と同じ構成については、同一の符号を付し、その詳しい説明を省略する。
【００５６】
図４に示す色補正用シート３０と、第１の実施の形態で説明した色補正用シート１０との違いは、第１の実施の形態における色補正用シート１０が、透明層と補色層の二層構造であったのに対し、色補正用シート３０は、単一の部材からなり、図４内、左側に図示する実線の矢印の方向に、無色透明の状態から補色の色がなだらかに濃くなっていく（すなわち、グラデーションがかかっている）点が異なっている。ここで、上記「補色の色」とは、透明電極１００で反射、または、透明電極１００を透過したことによって光が帯びる、黄色みの色に対する補色の色を意味している。ここでは、第１の実施の形態における補色層１２と同じ色である。そして、補色の色が最も濃くなっている色補正用シート３０の裏面を、透明電極１００の表面に固着させている。
【００５７】
次に、外部から入射した光が、透明電極１００によって色合いが変化し、その色合いの変化が上述した構成の色補正用シート３０によって補正される過程について説明する。なお、図４において、外部から入射する光の経路は、白抜きの矢印によって示している。
【００５８】
まず、外部からの光が、色補正用シート３０の表面（一方の面、すなわち無色透明になっている面）へ入射する際、空気の屈折率と、色補正用シート３０の屈折率とが異なるため、外部からの光の一部は色補正用シート３０の表面で反射する（図４中（サ））。この反射光は、色補正用シート３０の表面が無色透明になっていることから、何らかの色を帯びてしまうことがなく、透明電極１００および色補正用シート３０を通して視認される画像などの色合いに影響を及ぼすことはない。一方、色補正用シート３０内に入射した光は、透過していくにつれ、徐々に補色の色を帯びて（青みがかって）いく（同図中（シ））。ここで、色補正用シート３０は、第１の実施の形態における色補正用シート１０のように、透明層１１および補色層１２の二層構造ではなく、単一材料で構成されていることから、シート内を透過する過程で反射が生じる恐れはない。そして、外部からの光が、色補正用シート３０の裏面（他方の面に相当する）を経て、透明電極１００の表面に達すると、その一部が反射する（同図中（ス））。
【００５９】
このとき、透明電極１００の表面で反射する光は、本来であれば黄色みを帯びることになるが、色補正用シート３０を透過したことによって、事前にその補色となる青みを帯びており、透明電極１００の表面で反射した後も、再び色補正用シート３０を透過することから、透明電極１００で反射したときに帯びる色が相殺され、外部へ出射される（同図中（セ））。一方、透明電極１００を透過した光（同図中（ソ））も、本来、黄色みを帯びることになるが、色補正用シート３０を透過したことによって、その補色となる青みを帯びているため、透明電極１００を透過するときに双方の色が相殺して透明電極１００から出射される。
【００６０】
透明電極１００を透過した光が、色補正用シート１０および透明電極１００の背後領域で反射し、再び透明電極１００に入射すると（同図中（タ））、その光は透明電極１００を透過する際に黄色みを帯びることになる。しかしながら、この色変化は、色補正用シート３０の裏面側から入射して、色補正用シート１０内を透過するときに、その色によって相殺され（同図中（チ））、外部へ出射される（同図中（ツ））。
【００６１】
以上説明したように、上述した第２の実施の形態における色補正用シート３０によれば、外部から入射した光が、透明電極１００によって黄色みを帯びてしまう場合でも、無彩色に補正することができる。このため、外部からの光が、透明電極１００の表面で反射し、または、透過した際に、その色合いが変化することによって、透明電極１００および色補正用シート３０を通して視認される画像などの色合いに影響を与えてしまうことがない。また、色補正用シート３０の表面が無色透明になっているため、その表面で反射する光が、何かしらの色を帯びてしまい、透明電極１００および色補正用シート３０を通して視認される画像などの色合いに影響を与えることがない。
【００６２】
（第２の実施の形態に係る色補正用シートの適用例）
次に図５を参照して、上述した色補正用シート３０を、タッチパネル付き表示装置に適用した場合について説明する。図５は、色補正用シート３０を、タッチパネル付き表示装置のタッチパネル２０に適用した場合における断面構成を模式的に示す図である。この図において、図４に示した色補正用シート、および、図３に示したタッチパネル付き表示装置と同じ構成（具体的には、タッチパネルおよび表示装置の画面）のものについては、同一の符号を付し、その説明を省略する。
【００６３】
図５に示すタッチパネル２０において、透明電極２１の表面には色補正用シート３０が、透明電極２２の裏面には色補正用シート３０’が固着されている。ここで、色補正用シート３０’は、色補正用シート３０と同様の構成を有しており、透明電極２２に固着している面が、最も「補色の色」が濃く、表示装置の画面５０と対向している面に近づくにつれて「補色の色」が徐々に薄くなっていき、表示装置の画面５０と対向している面において、無色透明になっている。
【００６４】
色補正用シート３０，３０’が設けられたタッチパネル２０の背後（図５中、下方）には、画面５０が表側（同図中、上方）を向くように、表示装置が設けられている。これにより、この図に示すタッチパネル付き表示装置のユーザは、画面５０に表示された画像を、色補正用シート３０’、タッチパネル２０、および、色補正用シート３０を通して見ることになる。なお、図示は省略するが、色補正用シート３０，３０’の形状・寸法は、画面５０の画像表示領域の形状・寸法と一致しているものとする。
【００６５】
上述したタッチパネル付き表示装置では、図４を参照して説明したように、外部からの光が色補正用シート３０の表面で反射する光（図４，図５中（サ））、および、色補正用シート３０を透過後、透明電極２１の表面で反射する光（図４，図５中（ス））によって、画面５０に表示される画像の色合いが影響されることはない。また、色補正が行われた状態で、透明電極２１の裏面側から出射した光（図４，図５中（ソ））の一部は、裏面側の透明電極２２の表面で反射することで黄色みを帯び、反射後、さらに裏面側から透明電極２１を透過する際（図４，図５中（タ））に、黄色みを帯びることになる。しかしながら、この色は、色補正用シート３０の裏面から入射し、透過することによって相殺され（図４，図５中（チ））、無彩色となるように補正されて外部へ出射される（図４，図５中（ツ））。
【００６６】
さらに、透明電極２１の裏面側から出射した光（図４，図５中（ソ））のうち、透明電極２２を透過する光は、その際、黄色みを帯びることになるが、色補正用シート３０’によってその色が相殺され、補正された状態で表示装置の画面５０に到達する（図５中（テ））。この光の一部は、画面５０の表面で反射することになるが、この反射光についても、上述した内容と同様の作用によって、透明電極２２から透明電極２１を透過する際に変化する色合いが補正される。
【００６７】
このように、上述したタッチパネル付き表示装置に色補正用シート３０，３０’を適用することにより、透明電極を２枚用いるアナログ抵抗膜方式のタッチパネル２０を介して表示装置の画面５０に表示される画像を見る場合であっても、外部から入射した光が黄色みを帯びてしまうことによる画像の色合いの変化を、抑制することができる。
【００６８】
（本発明に係る色補正用シートを適用する表示装置についての説明）
次に、図６および図７を参照して、上述した第１または第２の実施の形態における色補正用シートを備えたタッチパネル２０が取り付けられる表示装置について説明する。ここで、図６は、上記タッチパネル２０を液晶表示装置６０に取り付けた場合の断面概略構成を模式的に示した図であり、図７は、上記タッチパネル２０をＥＰＤ７０に取り付けた場合の断面概略構成を模式的に示した図である。なお、これらの図において、図３または図５に示した各部と同じ構成については、同一の符号を付し、その詳しい説明を省略する。
【００６９】
まず、図６において、液晶表示装置６０は、対向する表側ガラス基板６１および裏側ガラス板６２の間に、シール材６３によって液晶６４が封入されており、表側ガラス基板６１の裏面にはＩＴＯを用いた透明電極６５が形成されている。また、表側ガラス基板６１の表面には透明なフィルム基板６６が貼着しており、さらに、フィルム基板６６の表面には偏光板６７が設けられている。これと同様に、裏側ガラス基板６２の裏面にも透明なフィルム基板６８および偏光板６９が設けられている。この液晶表示装置６０では、偏光板６７が画面５０になっており、偏光板６７の周縁に沿って設けられたスペーサＳに、色補正用シート１０，１０’（または３０，３０’）が設けられたタッチパネル２０が固定されている。
【００７０】
ここで、図６には、液晶表示装置６０として透過型の液晶表示装置を示したが、液晶表示装置の型式は、これに限らず、たとえば反射型の液晶表示装置を用いてもよい。この場合、基本的な構成としては、図６に示した液晶表示装置６０から、フィルム基板６８および偏光板６９を省いたものとなる。
【００７１】
次に、図７において、ＥＰＤ７０は、表面に背面電極７１が設けられたガラス基板７２と、裏面に透明電極７３が設けられた透明基板７４との間に、各々、白色および黒色の帯電粒子が封入された多数のマイクロカプセル７５が配置されている。また、このＥＰＤ７０では、透明基板７４が画面５０になっており、透明基板７４の周縁に沿って設けられたスペーサＳに、色補正用シート１０，１０’（または３０，３０’）が設けられたタッチパネル２０が固定されている。
【００７２】
上述した構成を有する液晶表示装置６０またはＥＰＤ７０では、色補正用シート１０または３０から入射した外部の光が透明電極２１，２２を通過し、その一部が各表示装置の画面５０で反射して、再び外部へ出射したとしても、当該出射した光が透明電極２２および２１を透過する際に生じる色変化は、色補正用シート１０’および１０、または、色補正用シート３０’および３０によって補正されるため、当該出射した光によって画面５０に表示される画像の色合いに影響を及ぼすことはない。
【００７３】
なお、上述した各適用例では、タッチパネル付きの表示装置において、特にタッチパネルが備える透明電極によって生じた色変化の補正を目的として、色補正用シートを設けたものであるが、第１および第２の実施の形態で説明した色補正用シートは、透明電極を備える表示装置のみに適用しても有効である。すなわち、たとえば、図６に示す液晶表示装置６０において、タッチパネル２０およびスペーサＳを取り除き、色補正用シート１０の補色層１２、または、色補正用シート３０における「補色の色」を呈している面を、透明電極６５に対向させた状態で、偏光板６７（画面５０）の表面に取り付ける。これにより、外部から入射した光が、液晶表示装置６０の透明電極６５の表面で反射したとしても、それによる色合いの変化を、色補正用シート１０または３０によって補正することが可能となり、画面５０に表示される画像の色合いに影響を及ぼすことがない。
【００７４】
これと同様に、図５に示すＥＰＤ７０においても、タッチパネル２０およびスペーサＳを取り除き、色補正用シート１０の補色層１２、または、色補正用シート３０における「補色の色」を呈している面を、透明電極７３に対向させた状態で、透明基板７４（画面５０）の表面に取り付けてもよい。これにより、外部から入射した光が透明電極７３の表面で反射したとしても、それによる色合いの変化を、色補正用シート１０または３０によって補正することが可能となる。
【図面の簡単な説明】
【００７５】
【図１】本発明の第１の実施の形態に係る色補正用シートの断面構成を模式的に示した模式図である。
【図２】同色補正用シートを構成する補色層の色について説明するために参照するＬ＊ａ＊ｂ＊表色系を示す図である。
【図３】本発明の第１の実施の形態に係る色補正用シートを、タッチパネル付きの表示装置に適用した場合における断面構成を模式的に示した模式図である。
【図４】本発明の第２の実施の形態に係る色補正用シートの断面構成を模式的に示した模式図である。
【図５】本発明の第２の実施の形態に係る色補正用シートを、タッチパネル付きの表示装置に適用した場合における断面構成を模式的に示した模式図である。
【図６】同色補正用シートを備えたタッチパネル付き表示装置における表示装置が、液晶表示装置である場合の断面概略構成を、模式的に示す模式図である。
【図７】同色補正用シートを備えたタッチパネル付き表示装置における表示装置が、ＥＰＤである場合の断面概略構成を、模式的に示す模式図である。
【符号の説明】
【００７６】
１０，１０’，３０，３０’  色補正用シート
１１，１１’  透明層
１２，１２’  補色層
２０  タッチパネル
２１，２２，６５，７３，１００  透明電極
２３  ギャップ
５０  画面
６０  液晶表示装置
７０  ＥＰＤ
【図１】
2010020682.tif 000003
【図２】
2010020682.tif 000004
【図３】
2010020682.tif 000005
【図４】
2010020682.tif 000006
【図５】
2010020682.tif 000007
【図６】
2010020682.tif 000008
【図７】
2010020682.tif 000009